(57)【要約】      （修正有）【課題】ソーシャルネッワークサービスを用いて検索された地域情報をユーザに地域情報ＵＩとして提供することができる電子機器と情報提供サーバとを含むシステムを提供する。【解決手段】電子機器１００が、ユーザが検索しようとする地域の位置情報及び地域情報要求信号を情報提供サーバ２００に伝送し、情報提供サーバ２００が、地域情報要求信号に応答し、地域に位置するユーザのソーシャルネットワークサービスを用いて地域の地域情報を検索し、検索された地域情報を電子機器１００に伝送し、電子機器が、情報提供サーバから受信した地域情報及び地域の地図を用いて地域情報ＵＩをディスプレイする。それにより、ユーザは天気情報や交通量情報のようなリアルタイム性が重要な情報をソーシャルネットワークサービスを用いてリアルタイムで確認する。【選択図】図１
2014149823.tif 000002
【特許請求の範囲】
【請求項１】
電子機器及び情報提供サーバを含む情報提供システムの情報提供方法において、
前記電子機器が、ユーザが検索しようとする地域の位置情報及び地域情報要求信号を前記情報提供サーバに伝送するステップと、
前記情報提供サーバが、前記地域情報要求信号に応答し、前記地域に位置するユーザのソーシャルネットワークサービスを用いて前記地域の地域情報を検索するステップと、
前記情報提供サーバが、前記検索された地域情報を前記電子機器に伝送するステップと、
前記電子機器が、前記情報提供サーバから受信した前記地域情報及び前記地域の地図を用いて地域情報ＵＩをディスプレイするステップと
を含む情報提供方法。
【請求項２】
前記検索するステップは、
前記位置情報に基づいて前記地域に位置するユーザを検索するステップと、
前記検索されたユーザのソーシャルネットワークサービスを用いて地域情報を検索するステップと
を含むことを特徴とする請求項１に記載の情報提供方法。
【請求項３】
前記検索するステップは、
前記地域に位置するユーザのソーシャルネットワークサービスの中にテキストデータが存在する場合、前記地域情報に関連する単語が存在するか否かを検索して前記地域情報を検索することを特徴とする請求項１に記載の情報提供方法。
【請求項４】
前記検索するステップは、
前記地域に位置するユーザのソーシャルネットワークサービスの中に映像データが存在する場合、前記地域情報に関連する映像が存在するか否かを検索して前記地域情報を検索することを特徴とする請求項１に記載の情報提供方法。
【請求項５】
前記地域情報が天気情報である場合、
前記検索するステップは、
前記映像データが外部映像であるか否かを判断するステップと、
前記映像データが外部映像である場合、前記映像データを空領域及び地上領域に分離するステップと、
前記空領域の色とパターン情報とを通じて天気情報を検索するステップと
を含むことを特徴とする請求項４に記載の情報提供方法。
【請求項６】
前記地域情報ＵＩは、
前記地図上に前記地域情報に対応するアイテムをディスプレイし、
前記ディスプレイするステップは、
前記アイテムが選択されると、前記選択された地域の地域情報を時間順にディスプレイするタイムラインＵＩをディスプレイするステップを含むことを特徴とする請求項１に記載の情報提供方法。
【請求項７】
前記地域情報は、
天気情報、公演情報、お祭り情報、レストラン情報、観光地情報、交通量情報のうち、少なくとも一つを含むことを特徴とする請求項１に記載の情報提供方法。
【請求項８】
電子機器において、
情報提供サーバと通信を行う通信部と、
ユーザ命令を入力される入力部と、
ディスプレイ部と、
前記入力部を介して地域情報を要求するユーザ命令が入力されると、ユーザが検索しようとする地域の位置情報及び地域情報要求信号を前記情報提供サーバに伝送し、前記地域情報要求信号に応答し、前記情報提供サーバがソーシャルネットワークサービスを用いてリアルタイムで検索した前記地域の地域情報を前記情報提供サーバから受信するように前記通信部を制御し、前記情報提供サーバから受信した前記地域情報及び前記地域の地図を用いて地域情報ＵＩをディスプレイするように前記ディスプレイ部を制御する制御部と
を含む電子機器。
【請求項９】
前記情報提供サーバは、
前記位置情報に基づいて前記ユーザが検索しようとする地域に位置するユーザを検索し、前記検索されたユーザのソーシャルネットワークサービスを検索して前記地域情報を検索することを特徴とする請求項８に記載の電子機器。
【請求項１０】
前記情報提供サーバは、
前記地域に位置するユーザのソーシャルネットワークサービスの中にテキストデータが存在する場合、前記地域情報に関連する単語が存在するか否かを検索して前記地域情報を検索することを特徴とする請求項８に記載の電子機器。
【請求項１１】
前記情報提供サーバは、
前記地域に位置するユーザのソーシャルネットワークサービスの中に映像データが存在する場合、前記地域情報に関連する映像が存在するか否かを検索して前記地域情報を検索することを特徴とする請求項８に記載の電子機器。
【請求項１２】
前記地域情報が天気情報である場合、
前記情報提供サーバは、
前記映像データが外部映像であるか否かを判断し、前記映像データが外部映像である場合、前記映像データを空領域及び地上領域に分離し、前記空領域の色とパターン情報とを通じて天気情報を抽出し、前記抽出された天気情報を前記電子機器に伝送することを特徴とする請求項１０に記載の電子機器。
【請求項１３】
前記地域情報ＵＩは、
前記地図上に前記地域情報に対応するアイテムをディスプレイし、
前記制御部は、
前記入力部を介して前記アイテムが選択されると、前記選択された地域の地域情報を時間順にディスプレイするタイムラインＵＩをディスプレイするように前記ディスプレイ部を制御することを特徴とする請求項８に記載の電子機器。
【請求項１４】
前記地域情報は、
天気情報、公演情報、お祭り情報、レストラン情報、観光地情報、交通量情報のうち、少なくとも一つを含むことを特徴とする請求項８に記載の電子機器。
【発明の詳細な説明】
【技術分野】
【０００１】
本発明は、電子機器と情報提供サーバとを含むシステムの情報提供方法及びそれを適用した電子機器に関し、より詳細には、ソーシャルネットワークサービスを用いて地域情報をリアルタイムで提供する電子機器と情報提供サーバとを含むシステムの情報提供方法及びそれを適用した電子機器に関する。
【背景技術】
【０００２】
モバイルデバイス（例えば、スマートフォン、タブレットパソコン等）の普及とネットワークインフラの構築とにより、時間と空間を問わずに、ユーザが自分の考えていることを自由に共有できる時代が到来している。特に、ツイッターやフェイスブックのようなソーシャルネットワークサービスが発展するにつれ、ユーザは自分の考えを時と場所を問わずに共有できるようになった。
【０００３】
一方、従来は、天気情報や交通量情報のような特定地域の地域情報を特定ホームページ（例えば、気象庁ホームページまたは道路交通公社ホームページ等）を通じて確認する方法があった。特に、天気情報または交通量情報のような地域情報は、リアルタイム性が非常に重要な情報である。しかし、特定ホームページに登録された天気情報は、リアルタイムで登録されたものではない、既存に予測された天気情報が登録されているものとして、リアルタイムで変化する天気を確認しにくいという問題点が存在するようになった。
【０００４】
よって、天気情報や交通量情報のように、リアルタイムで確認する必要のある地域情報をユーザがリアルタイムで確認することができる方策への模索が必要である。
【先行技術文献】
【特許文献】
【０００５】
【特許文献１】特開第２０１０−２０４８５２号公報
【特許文献２】特開第２０１１−１４１６１０号公報
【特許文献３】韓国公開特許第２０１１−００８５２０５号公報
【特許文献４】米国特許出願公開第２００８−００８２２６４号公報
【発明の概要】
【発明が解決しようとする課題】
【０００６】
そこで、本発明は、上記問題に鑑みてなされたものであり、本発明の目的とするところは、ソーシャルネットワークサービスを用いて検索された地域情報をユーザに地域情報ＵＩとして提供することができる電子機器と情報提供サーバとを含むシステムの情報提供方法及びそれを適用した電子機器を提供することにある。
【０００７】
もう一つの目的は、ユーザが地域情報を確認するための質問を情報提供サーバに伝送した場合、情報提供サーバが、ユーザの要求しようとする位置に現在位置するユーザを検索して質問を伝送する電子機器と情報提供サーバとを含むシステムの情報提供方法を提供することにある。
【課題を解決するための手段】
【０００８】
前記目的を達成するための本発明の一実施形態に係る電子機器及び情報提供サーバを含む情報提供システムの情報提供方法は、前記電子機器が、ユーザが検索しようとする地域の位置情報及び地域情報要求信号を前記情報提供サーバに伝送するステップと、前記情報提供サーバが、前記地域情報要求信号に応答し、前記地域に位置するユーザのソーシャルネットワークサービスを用いて前記地域の地域情報を検索するステップと、前記情報提供サーバが、前記検索された地域情報を前記電子機器に伝送するステップと、前記電子機器が、前記情報提供サーバから受信した前記地域情報及び前記地域の地図を用いて地域情報ＵＩをディスプレイするステップとを含む。
【０００９】
そして、前記検索するステップは、前記位置情報に基づいて前記地域に位置するユーザを検索するステップと、前記検索されたユーザのソーシャルネットワークサービスを用いて地域情報を検索するステップとを含む。
【００１０】
なお、前記検索するステップは、前記地域に位置するユーザのソーシャルネットワークサービスの中にテキストデータが存在する場合、前記地域情報に関連する単語が存在するか否かを検索して地域情報を検索してよい。
【００１１】
そして、前記検索するステップは、前記地域に位置するユーザのソーシャルネットワークサービスの中に映像データが存在する場合、前記地域情報に関連する映像が存在するか否かを検索して地域情報を検索してよい。
【００１２】
なお、前記地域情報が天気情報である場合、前記検索するステップは、前記映像データが外部映像であるか否かを判断するステップと、前記映像データが外部映像である場合、前記映像データを空領域及び地上領域に分離するステップと、前記空領域の色とパターン情報とを通じて天気情報を検索するステップとを含む。
【００１３】
そして、前記地域情報ＵＩは、前記地図上に前記地域情報に対応するアイテムをディスプレイし、前記ディスプレイするステップは、前記アイテムが選択されると、前記選択された地域の地域情報を時間順にディスプレイするタイムラインＵＩをディスプレイするステップを含んでよい。
【００１４】
なお、前記地域情報は、天気情報、公演情報、お祭り情報、レストラン情報、観光地情報、交通量情報のうち、少なくとも一つを含んでよい。
【００１５】
一方、前記目的を達成するための本発明の一実施形態に係る電子機器は、情報提供サーバと通信を行う通信部と、ユーザ命令を入力される入力部と、ディスプレイ部と、前記入力部を介して地域情報を要求するユーザ命令が入力されると、ユーザが検索しようとする地域の位置情報及び地域情報要求信号を前記情報提供サーバに伝送し、前記地域情報要求信号に応答し、前記情報提供サーバがソーシャルネットワークサービスを用いてリアルタイムで検索した前記地域の地域情報を前記情報提供サーバから受信するように前記通信部を制御し、前記情報提供サーバから受信した前記地域情報及び前記地域の地図を用いて地域情報ＵＩをディスプレイするように前記ディスプレイ部を制御する制御部とを含む。
【００１６】
なお、前記情報提供サーバは、前記位置情報に基づいて前記ユーザが検索しようとする地域に位置するユーザを検索し、前記検索されたユーザのソーシャルネットワークサービスを検索して前記地域情報を検索してよい。
【００１７】
そして、前記情報提供サーバは、前記地域に位置するユーザのソーシャルネットワークサービスの中にテキストデータが存在する場合、前記地域情報に関連する単語が存在するか否かを検索して地域情報を検索してよい。
【００１８】
なお、前記情報提供サーバは、前記地域に位置するユーザのソーシャルネットワークサービスの中に映像データが存在する場合、前記地域情報に関連する映像が存在するか否かを検索して地域情報を検索してよい。
【００１９】
そして、前記地域情報が天気情報である場合、前記情報提供サーバは、前記映像データが外部映像であるか否かを判断し、前記映像データが外部映像である場合、前記映像データを空領域及び地上領域に分離し、前記空領域の色とパターン情報とを通じて天気情報を抽出し、前記抽出された天気情報を前記電子機器に伝送してよい。
【００２０】
なお、前記地域情報ＵＩは、前記地図上に前記地域情報に対応するアイテムをディスプレイし、前記制御部は、前記入力部を介して前記アイテムが選択されると、前記選択された地域の地域情報を時間順にディスプレイするタイムラインＵＩをディスプレイするように前記ディスプレイ部を制御してよい。
【００２１】
そして、前記地域情報は、天気情報、公演情報、お祭り情報、レストラン情報、観光地情報、交通量情報のうち、少なくとも一つを含んでよい。
【００２２】
一方、前記目的を達成するための本発明の一実施形態に係る電子機器及び情報提供サーバを含むシステムの情報提供方法は、前記電子機器が、地域情報を要求するために、ユーザによって作成された質問を情報提供サーバに伝送するステップと、前記情報提供サーバが、前記質問からユーザが要求しようとする地域の位置情報及び前記ユーザが要求しようとする地域情報を分析するステップと、前記情報提供サーバが、予め登録された他ユーザのユーザ情報を検索し、前記質問に対する応答者を抽出するステップと、前記情報提供サーバが、前記抽出された応答者に対応する少なくとも一つの他の電子機器に質問を伝送するステップと、前記電子機器が、前記少なくとも一つの応答者から作成された前記質問に対する応答を前記他の電子機器から受信するステップとを含む情報提供方法である。
【００２３】
そして、前記他の電子機器が、前記ユーザが要求しようとする地域の位置情報と前記他の電子機器の位置情報とを比較するステップと、前記他の電子機器が前記ユーザの要求しようとする地域に位置する場合、前記他の電子機器が、前記質問をディスプレイするステップとを含んでよい。
【００２４】
なお、前記ユーザ情報は、前記ユーザ及び前記他ユーザによってサーバに予め登録されたり、前記ユーザ及び前記他ユーザの電子機器使用情報に基づいて予め生成されてよい。
【００２５】
そして、前記抽出するステップは、前記位置情報と前記予め登録された他ユーザの頻繁に使用するユーザ位置情報とを比較し、応答者を抽出するステップと、前記質問類型情報と前記予め登録された他ユーザの質問興味情報とを比較し、応答者を抽出するステップと、前記他ユーザの応答パターンを分析して応答者を抽出するステップとを含んでよい。
【００２６】
なお、前記電子機器が、前記質問に対応する応答を、地図上の前記応答したユーザの現在位置する地域にディスプレイするステップを更に含んでよい。
【発明の効果】
【００２７】
以上説明したように、本発明によれば、ユーザは天気情報や交通量情報のようなリアルタイム性が重要な情報をソーシャルネットワークサービスを用いてリアルタイムで確認することができるようになる。
【図面の簡単な説明】
【００２８】
【図１】本発明の一実施形態に係る情報提供システムを示す図である。
【図２】本発明の一実施形態に係る情報提供システムの情報提供方法について説明するためのシーケンス図である。
【図３】本発明の一実施形態に係る情報提供サーバがソーシャルネットワークサービスを用いて地域情報を検索する方法について説明するためのフローチャートである。
【図４】本発明の一実施形態に係る電子機器で提供する地域情報ＵＩを示す図である。
【図５】本発明の一実施形態に係る電子機器で提供するタイムラインＵＩを示す図である。
【図６】本発明の別の実施形態に係る情報提供システムの情報提供方法について説明するためのシーケンス図である。
【図７】本発明の別の実施形態に係る電子機器で提供する質問に対する応答を地図上に示す図である。
【図８】本発明の一実施形態に係る電子機器の構成を示すブロック図である。
【図９】本発明の一実施形態に係る情報提供サーバの構成を示すブロック図である。
【発明を実施するための形態】
【００２９】
以下に添付図面を参照しながら、本発明の好適な実施形態について詳細に説明する。
【００３０】
本発明の一実施形態によると、地域情報を検索するためのユーザ命令が入力されると、電子機器１００は、ユーザが検索しようとする地域の位置情報及び地域情報要求信号を情報提供サーバ２００に伝送する。このとき、地域情報は、天気情報や交通量情報のようなリアルタイム性が重要な情報であるが、それは一実施形態に過ぎず、公演情報、お祭り情報、レストラン情報、観光地情報、感性共有情報のような多様な情報が含まれてよい。
【００３１】
電子機器１００からユーザが検索しようとする地域の位置情報及び地域情報要求信号が受信されると、情報提供サーバ２００は、地域情報要求信号に応答してユーザが検索しようとする地域に位置するユーザのソーシャルネットワークサービスを用いて、ユーザが検索しようとする地域の地域情報を検索する。具体的に、情報提供サーバ２００は、電子機器１００から受信された位置情報及び他の電子機器３００−１、３００−２、３００−３の位置情報（例えば、ＧＰＳ情報）に応じて、ユーザが検索しようとする地域に現在位置するユーザを検索することができる。そして、情報提供サーバ２００は、ユーザが検索しようとする地域に現在位置するユーザのソーシャルネットワークサービスの中から地域情報に関連する内容を抽出し、地域情報を検索することができる。例えば、電子機器１００のユーザがＡ地域の天気情報を要求した場合、情報提供サーバ２００はＡ地域に位置するユーザを検索し、Ａ地域に位置するユーザのソーシャルネットワークサービスの中に天気関連テキストまたは映像があるか否かを判断し、Ａ地域の天気情報を検索することができる。
【００３２】
一方、情報提供サーバ２００は、ユーザが検索しようとする地域に現在位置するユーザのソーシャルネットワークサービス情報を獲得するために、複数の他の電子機器３００−１、３００−２、３００−３からソーシャルネットワークサービス情報をリアルタイムで受信して保存することができる。
【００３３】
そして、情報提供サーバ２００は、検索された地域情報を電子機器１００に伝送する。
【００３４】
そして、情報提供サーバ２００から地域情報が受信されると、電子機器１００は情報提供サーバ２００から受信した地域情報及び予め保存された地図を用いて、地域情報ＵＩをディスプレイすることができる。このとき、地域情報ＵＩは、地図上にユーザが検索しようとする地域の地域情報に対応するアイテムをディスプレイすることができる。そして、アイテムが選択されると、電子機器１００はユーザが検索しようとする地域の地域情報を時間順にディスプレイするタイムラインＵＩをディスプレイすることができる。
【００３５】
それにより、ユーザは自分が検索しようとする地域の地域情報を地域情報ＵＩを通じてリアルタイムで確認することができるようになる。
【００３６】
本発明の別の実施形態によると、電子機器１００は地域情報を要求するために、ユーザによって作成された質問を情報提供サーバに伝送する。
【００３７】
地域情報を要求するために質問が受信されると、情報提供サーバ２００は質問からユーザが要求しようとする地域の位置情報及びユーザが要求しようとする地域情報を分析する。具体的に、情報提供サーバ２００は質問を分析し、ユーザが要求しようとする地域がどの地域か、ユーザが要求しようとする地域情報がどの地域情報かを判断することができる。例えば、質問が“Ｂ地域の交通量はどう？”という質問が受信された場合、情報提供サーバ２００は質問からユーザが要求しようとする地域の位置情報として“Ｂ地域”を抽出し、ユーザが要求しようとする地域情報として“交通量情報”を抽出することができる。
【００３８】
そして、情報提供サーバ２００は、予め登録された他ユーザのユーザ情報を検索して質問に対する応答者を抽出する。例えば、ユーザが要求しようとする地域情報はグルメ情報である場合、情報提供サーバ２００は他ユーザのうち、興味分野がグルメである他ユーザを質問に対する応答者として抽出することができる。別の例として、ユーザが要求しようとする地域情報が交通量または天気情報である場合、情報提供サーバ２００は、他ユーザのうち、ユーザが要求しようとする地域に住所、会社をもつ他ユーザまたはユーザが要求しようとする地域を頻繁に訪れると判断される他ユーザを質問に対する応答者として抽出することができる。
【００３９】
一方、ユーザ情報は既存にユーザによって情報提供サーバ３００に登録されたり、他ユーザが電子機器３００を使用した使用情報に応じて分析され、情報提供サーバ２００に登録されてよい。例えば、情報提供サーバ２００は、ユーザが予め登録した住所、会社住所、興味のある分野をユーザ情報として保存することができる。なお、他の電子機器３００は、ユーザの使用する他の電子機器３００のＧＰＳ情報を用いて移動経路を分析したり、ユーザらが頻繁に使用する検索語を分析したり、他の電子機器３００のアプリケーション使用情報を分析したり、ユーザらが頻繁にアクセスするウェブサイトを分析してユーザ情報として獲得し、獲得されたユーザ情報を情報提供サーバ２００に伝送することができる。例えば、ユーザらが頻繁に使用する検索語がグルメに該当したり、頻繁にアクセスするウェブサイトがグルメ関連サイトである場合、電子機器１００はユーザ情報として興味分野にグルメを獲得し、獲得された興味分野を情報提供サーバ２００に伝送することができる。
【００４０】
情報提供サーバ２００は、抽出された応答者に対応する他の電子機器３００−１、３００−２、３００−３に質問を伝送する。
【００４１】
そして、他の電子機器３００−１、３００−２、３００−３は、ユーザが要求しようとする地域の位置情報及び他の電子機器３００−１、３００−２、３００−３の現在の位置情報を比較する。具体的に、他の電子機器３００−１、３００−２、３００−３は、情報提供サーバ２００から受信したユーザが要求しようとする地域の位置情報世帯リアルタイムで収集する他の電子機器３００−１、３００−２、３００−３の位置情報（例えば、ＧＰＳ情報）を比較することができる。
【００４２】
そして、ユーザが要求しようとする地域に位置する他の電子機器（または、ユーザが要求しようとする地域に予め設定された距離以内に位置する他の電子機器）のみ質問をディスプレイすることができる。例えば、ユーザが要求しようとする地域がＡ地域である場合、複数の他の電子機器３００−１、３００−２、３００−３のうち、Ａ地域に位置する他の電子機器のみが質問をディスプレイすることができる。それは、他の電子機器が現在位置する情報は、他人のプライベートに関連する情報として、情報提供サーバが収集する場合、プライバシー問題が発生するおそれがあるためである。よって、他の電子機器が、ユーザの要求しようとする地域に現在位置するか否かは、他の電子機器によって判断されてよい。
【００４３】
そして、少なくとも一つの他ユーザによって質問に対する応答が作成されると、少なくとも一つの他の電子機器３００は作成された質問に対する応答を電子機器１００に伝送する。
【００４４】
そして、電子機器１００は、少なくとも一つの応答者から作成された質問に対する応答を受信する。このとき、電子機器１００は、地図のユーザが要求しようとする地域に対する応答をディスプレイすることができる。
【００４５】
それにより、ユーザは、ユーザが要求しようとする地域に位置する他ユーザから地域情報をリアルタイムで提供できるようになる。
【００４６】
以下では、図２ないし図５を参照し、電子機器１００が情報提供サーバ２００から受信した地域情報に基づいて地域情報ＵＩをディスプレイする実施形態について説明する。
【００４７】
図２は、本発明の一実施形態に係る情報提供システムの情報提供方法について説明するためのシーケンス図である。
【００４８】
まず、情報提供サーバ２００は、他の電子機器３００からソーシャルネットワークサービス情報を収集する（Ｓ６０５）。このとき、ソーシャルネットワークサービスとしては、ＴｗｉｔｔｅｒやＦａｃｅｂｏｏｋ、ｆｏｕｒｓｑｕａｒｅ、ｉｎｓｔａｇｒａｍ等であってよく、それは一実施形態に過ぎず、他のソーシャルネットワークサービスも本発明の一実施形態に含まれてよい。特に、情報提供サーバ２００は、他の電子機器３００からソーシャルネットワークサービス情報をリアルタイムで収集することができる。
【００４９】
電子機器１００は、地域情報要求を入力される（Ｓ２１０）。このとき、電子機器１００は、ユーザによってユーザが検索しようとする地域及び地域情報を入力されてよい。例えば、電子機器１００は、ユーザによってユーザが検索しようとする地域として“ソウル市江西区禾谷洞”を入力されてよく、ユーザが検索しようとする地域情報として“天気情報”を入力されてよい。
【００５０】
そして、電子機器１００は、入力された位置情報及び地域情報要求信号を情報提供サーバ２００に伝送する（Ｓ２２０）。
【００５１】
情報提供サーバ２００は、位置情報に基づいてユーザが検索しようとする地域に位置する他ユーザを検索する（Ｓ２３０）。具体的に、ユーザが検索しようとする地域として“ソウル市江西区禾谷洞”の場合、情報提供サーバ２００は他の電子機器１００から受信したソーシャルネットワークサービス情報のメタデータに含まれた位置情報（例えば、ＧＰＳ情報）用いて、“ソウル市江西区禾谷洞”に現在位置する他ユーザを検索することができる。
【００５２】
そして、情報提供サーバ２００は、ユーザが要求しようとする地域に位置する他ユーザのソーシャルネットワークサービスを用いて地域情報を検索する（Ｓ２４０）。それについては、図３を参照してより詳細に説明する。
【００５３】
図３は、本発明の一実施形態に係る情報提供サーバがソーシャルネットワークサービスを用いて地域情報を検索する方法について説明するためのフローチャートである。
【００５４】
まず、情報提供サーバ２００は、収集されたソーシャルネットワークサービスの中にテキストデータまたは映像データが存在か否かを判断するために、ソーシャルネットワークサービスを分析する（Ｓ２４１）。
【００５５】
そして、情報提供サーバ２００は、収集されたソーシャルネットワークサービスの中にテキストデータが存在するか否かを判断する（Ｓ２４２）。
【００５６】
テキストデータが存在する場合（Ｓ２４２−Ｙ）、情報提供サーバ２００はテキストデータ内に地域情報に関連する内容があるか否かを検索する（Ｓ２４３）。例えば、ユーザが検索しようとする地域情報が天気情報である場合、情報提供サーバ２００はテキストデータ内に天気情報に関連する内容（例えば、“雨”、“雪”、“風”等）があるか否かを検索することができる。
【００５７】
そして、情報提供サーバ２００は、地域情報に関連するテキストを抽出する（Ｓ２４４）。例えば、情報提供サーバ２００は、テキストデータ内に天気情報に関連するテキストである“雨”、“雪”、“風”、“寒い”、“暑い”等のようなテキストを抽出することができる。
【００５８】
そして、情報提供サーバ２００は、抽出されたテキストを分類して保存する（Ｓ２４５）。例えば、情報提供サーバ２００は、テキストデータの中に“雨”、“傘”が含まれたソーシャルネットワークサービスを天気情報として“雨”に分類して保存することができる。
【００５９】
しかし、ソーシャルネットワークサービスにテキストデータが存在しない場合（Ｓ２４２−Ｎ）、情報提供サーバ２００は映像データが存在すると判断する（Ｓ２４６）。
【００６０】
そして、情報提供サーバ２００は、映像データ内に地域情報に関連する内容があるか否かを検索する。例えば、ユーザが検索しようとする地域情報が天気情報である場合、情報提供サーバ２００は映像データのパターン及び色相情報に基づいて、地上領域と空領域とに分類することができる。そして、情報提供サーバ２００は、分類された領域のうち、空領域の色とパターンを分析し、天気情報に関連する内容を検索することができる。例えば、情報提供サーバ２００は、空領域が青色か、空領域内に白色の雪が分布されている場合、天気情報に関連する内容を検索することができる。
【００６１】
そして、情報提供サーバ２００は、地域情報に関連する映像を抽出する（Ｓ２４８）。すなわち、情報提供サーバ２００は、複数の映像データの中に天気情報に関連する映像データに応じて抽出してよい。
【００６２】
そして、情報提供サーバ２００は、当該映像データを分類して保存する（Ｓ２４９）。例えば、情報提供サーバ２００は、空領域に白雪が存在する映像データを含むソーシャルネットワークサービスを天気情報として“雪”項目に分類して保存することができる。
【００６３】
再び図２について説明すると、情報提供サーバ２００は、図３を参照して説明したように、検索された地域情報を電子機器１００に伝送する（Ｓ２５０）。このとき、情報提供サーバ２００は地域情報としてソーシャルネットワークサービス情報を直接伝送することができ、分類された内容を伝送することができる。例えば、情報提供サーバ２００は“江西区に雪が降ってるよ”というソーシャルネットワークサービスのつぶやきを直接電子機器１００に伝送することができ、“江西区”の天気情報として“雪”という情報を電子機器１００に伝送することができる。
【００６４】
なお、情報提供サーバ２００は、ソーシャルネットワークサービスを用いて検索された地域情報だけでなく、他の方法で獲得した地域情報を同時に伝送することができる。例えば、ユーザが検索しようとする地域情報が天気情報である場合、情報提供サーバ２００は気象庁から獲得した天気情報、ＣＣＴＶによって撮影された映像データ、ソーシャルネットワークサービスを用いて検索された地域情報等を同時に伝送することができる。
【００６５】
そして、電子機器１００は、受信された地域情報及び地図を用いて地域情報ＵＩをディスプレイする（Ｓ２６０）。このとき、地域情報ＵＩは、地図の他ユーザが現在位置する地域に地域情報を示すアイテムを含む。例えば、ユーザが検索しようとする地域情報が“ソウル市江西区禾谷洞の天気情報”の場合、電子機器１００は図４に示すような地域情報ＵＩをディスプレイすることができる。このとき、地域情報ＵＩにディスプレイされるアイテムは、気象庁によって受信された天気情報に対応するアイテム４００−１、４００−２、４００−３、４００−４、天気情報を含むソーシャルネットワークサービスに対応するアイテム４１０−１、４１０−２、４１０−３、４１０−４、４１０−５及びＣＣＴＶによって獲得された天気情報に対応するアイテム４２０−１、４２０−２を含んでよい。
【００６６】
なお、地域情報ＵＩにディスプレイされたアイテムのうちの一つが選択されると、電子機器１００は選択されたアイテムの地域の地域情報を時間順にディスプレイするタイムラインＵＩをディスプレイすることができる。例えば、天気情報を含むソーシャルネットワークサービスに対応するアイテムのうちの一つが選択されると、電子機器１００は、図５に示すように、選択されたアイテムに対応する地域の天気情報を時間順にディスプレイするタイムラインＵＩ５１０をディスプレイすることができる。
【００６７】
上述のように、他ユーザのソーシャルネットワークサービス情報を用いて、検索された地域情報を地域情報ＵＩを通じて提供することで、ユーザは自分が検索しようとする地域の地域情報をリアルタイムで確認することができるようになる。
【００６８】
以下では、図６及び図７を参照し、情報提供サーバ２００が地域情報を要求する質問を当該地域の他ユーザに伝送し、他ユーザから地域情報を直接応答を受けられる実施形態について説明する。
【００６９】
図６は、本発明の別の実施形態に係る情報提供システムの情報提供方法について説明するためのシーケンス図である。
【００７０】
まず、情報提供サーバ２００は、ユーザ情報を電子機器１００、３００から提供される。このとき、ユーザ情報は、ユーザの住所、会社、興味のある分野、趣味、移動経路等を含んでよく、ユーザによって直接入力されてよいが、それは一実施形態に過ぎず、電子機器１００、３００がユーザの電子機器使用情報を通じてユーザ情報を獲得することができる。例えば、電子機器１００、３００は、ユーザの使用する電子機器１００、３００のＧＰＳ情報を用いて移動経路を分析したり、ユーザらが頻繁に使用する検索語を分析したり、電子機器１００、３００のアプリケーション使用情報を分析したり、ユーザらが頻繁にアクセスするウェブサイトを分析してユーザ情報として獲得し、獲得されたユーザ情報を情報提供サーバ２００に伝送することができる。例えば、ユーザが頻繁に使用する検索語がグルメに該当したり、頻繁にアクセスするウェブサイトがグルメ関連サイトである場合、電子機器１００はユーザ情報として興味分野にグルメを獲得し、獲得された興味分野を情報提供サーバ２００に伝送することができる。
【００７１】
電子機器１００は、ユーザ入力によって地域情報に関する質問を作成する（Ｓ６１０）。このとき、地域情報に関する質問は、一般の平叙文であってよく、例えば、“オリンピック大橋の交通状況はどう？”という質問であってよい。
【００７２】
そして、電子機器１００は、作成された質問を情報提供サーバ２００に伝送する（Ｓ６２０）。
【００７３】
情報提供サーバ２００は、質問からユーザが要求した地域の位置情報及び地域情報を分析する（Ｓ６３０）。具体的に、情報提供サーバ２００は、質問をテキスト分析してユーザが要求しようとする地域の位置情報及び地域情報を分析することができる。例えば、“オリンピック大橋の交通状況はどう？”という質問が受信された場合、情報提供サーバ２００はテキスト分析を行い、“オリンピック大橋”というテキストを通じてユーザが要求しようとする地域の位置情報を抽出し、“交通状況”というテキストを通じてユーザが要求しようとする地域情報として交通量情報を抽出することができる。質問にユーザが要求しようとする地域の位置情報が含まれていない場合、情報提供サーバ２００は、電子機器１００の現在の位置情報をユーザが要求しようとする地域の位置情報として判断することができる。
【００７４】
そして、情報提供サーバ２００は、予め登録されたユーザ情報を用いて応答者を抽出する（Ｓ６４０）。具体的に、情報提供サーバ２００は、予め登録されたユーザ情報と、位置情報及び地域情報とを比較し、ユーザの質問に対する応答者を抽出することができる。特に、情報提供サーバ２００は、ユーザが要求しようとする地域の位置情報と予め登録された他ユーザの頻繁に位置するユーザ位置情報を比較し、応答者を抽出することができる。例えば、情報提供サーバ２００は、ユーザが要求しようとする地域の位置情報と予め登録されたユーザの住所、会社所在地、移動経路を比較し、ユーザが要求しようとする地域と同一の住所、会社所在地、移動経路を有する他ユーザを応答者として抽出することができる。なお、情報提供サーバ２００は、質問類型情報と予め登録された他ユーザの興味分野情報とを比較し、応答者を抽出することができる。例えば、地域情報の質問類型情報が“交通量情報”である場合、情報提供サーバ２００は、他ユーザのうちの予め登録された質問興味情報が“交通”、“車”である他ユーザを応答者として抽出することができる。なお、情報提供サーバ２００は、他ユーザの応答パターンを分析して応答者を抽出することができる。例えば、質問が退社時間に伝送された場合、情報提供サーバ２００は退社時間に頻繁に応答する他ユーザを応答者として抽出することができる。
【００７５】
そして、情報提供サーバ２００は、抽出された応答者に対応する他の電子機器３００に質問を伝送する（Ｓ６５０）。
【００７６】
他の電子機器３００は、現在位置する地域が、ユーザの要求しようとする地域か否かを判断する（Ｓ６６０）。具体的に、他の電子機器１００が現在位置する地域は、他人のプライバシーに関連するものとして、情報提供サーバ２００が収集することなく、他の電子機器１００が直接情報提供サーバ２００から受信したユーザが要求しようとする地域の位置情報と自分の現在の位置情報（例えば、ＧＰＳ情報）を比較し、他の電子機器３００がユーザの要求しようとする地域に位置するか否かを判断することができる。
【００７７】
他の電子機器３００がユーザの要求しようとする地域に位置する場合、他の電子機器３００は質問をディスプレイする（Ｓ６７０）。他の電子機器３００が、ユーザの要求しようとする地域に位置しない場合、他の電子機器３００は質問をディスプレイしなくてよい。
【００７８】
そして、他の電子機器３００は、ユーザ入力によって質問に対する応答を作成する（Ｓ６８０）。
【００７９】
そして、他の電子機器３００は、質問に対する応答を電子機器１００に伝送する（Ｓ６９０）。このとき、他の電子機器３００が質問に対する応答を電子機器１００に直ちに伝送することは一実施形態に過ぎず、他の電子機器３００が情報提供サーバ２００に質問に対する応答を伝送し、情報提供サーバ２００が電子機器１００に質問に対する応答を伝送することができる。
【００８０】
そして、電子機器１００は、質問に対する応答を地図上にディスプレイする（Ｓ６９５）。具体的に、質問が“オリンピック大橋の交通状況はどう？”である場合、電子機器１００は図７に示すように、地図の少なくとも一つの他の電子機器３００の位置する地域に当該他の電子機器３００が伝送した応答７１０、７２０、７３０、７４０、７５０をディスプレイすることができる。
【００８１】
上述のように、地域情報に対する質問をユーザが作成した場合、当該地域に位置する他ユーザが質問に対する応答を直ちに伝送することで、ユーザは地域情報をリアルタイムで獲得することができるようになる。
【００８２】
以下では、図８及び図９を参照し、電子機器１００及び情報提供サーバ２００の構成について、より詳細に説明する。
【００８３】
図８は、本発明の一実施形態に係る電子機器の構成を示すブロック図である。図８に示すように、電子機器１００は、通信部１１０と、入力部１２０と、ディスプレイ部１３０及び制御部１４０を含む。
【００８４】
一方、図２は、電子機器１００がソーシャルネットワークサービスを用いた情報提供機能を備えた装置の場合を例に挙げて、各種構成要素を総合的に示すものである。よって、実施形態に応じては、図２に示す構成要素の一部は省略または変更されてよく、他の構成要素が更に追加されてよい。
【００８５】
通信部１１０は、多様な通信方式に応じて、多様な外部機器（例えば、情報提供サーバ２００及び他の電子機器（３００−１、３００−２、３００−３）と通信を行う構成である。特に、通信部１１０は、Ｗｉ−Ｆｉチップ、ブルートゥースチップ、ＮＦＣチップ、無線通信チップ等のような多様な通信チップを含んでよい。このとき、Ｗｉ−Ｆｉチップ、ブルートゥースチップ、ＮＦＣチップは、それぞれＷｉ−Ｆｉチップ方式、ブルートゥース方式、ＮＦＣ方式で通信を行う。このうち、ＮＦＣチップは、１３５ｋＨｚ、１３.５６ＭＨｚ、４３３ＭＨｚ、８６０〜９６０ＭＨｚ、２．４５ＧＨｚ等のような多様なＲＦ−ＩＤ周波数帯域のうち、１３.５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを利用する場合には、ＳＳＩＤ及びセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格に応じて通信を行うチップを意味する。
【００８６】
入力部１２０は、電子機器１００の動作全般を制御するために、ユーザ命令を受信することができる。特に、入力部１２０は、ユーザが要求しようとする地域情報に対する質問及び質問に対する応答を受信してよい。このとき、入力部１２０は、タッチスクリーンで実現されてよく、それは一実施形態に過ぎず、モーション入力部、音声入力部、デジタルペン、マウス等のように、電子機器１００を制御することができる別の入力装置で実現されてよい。
【００８７】
ディスプレイ部１３０は、制御部１４０の制御によって映像データを出力する。特に、ディスプレイ部１３０は、図３に示すような地域情報ＵＩをディスプレイすることができ、図４に示すようなタイムラインＵＩをディスプレイすることができる。  なお、ディスプレイ部１３０は、図７に示すような質問に対する応答を含む地図をディスプレイすることができる。
【００８８】
制御部１４０は、入力部１２０に入力されたユーザ命令に応じて電子機器１００の動作全般を制御する。
【００８９】
特に、本発明の一実施形態によると、入力部１２０を介して地域情報を要求するユーザ命令が入力されると、制御部１４０は、ユーザが検索しようとする地域の位置情報及び地域情報要求信号を情報提供サーバ２００に伝送するように通信部１１０を制御することができる。そして、地域情報要求信号に応答し、情報提供サーバ２００がソーシャルネットワークサービスを用いてリアルタイムで検索したユーザが要求しようとする地域の地域情報を情報提供サーバ２００から受信するように通信部１１０を制御することができる。そして、制御部１４０は、情報提供サーバ２００から受信した地域情報及びユーザが要求しようとする地域の地図を用いて、地域情報ＵＩをディスプレイするようにディスプレイ部１３０を制御することができる。
【００９０】
更に別の実施形態として、入力部１２０を介して地域情報を要求する質問が入力されると、制御部１４０は、質問を情報提供サーバ２００に伝送するように通信部１１０を制御することができる。そして、情報提供サーバ２００が質問を分析して応答者を抽出し、抽出された応答者に質問を伝送し、抽出された応答者が質問に対する応答を伝送する場合、制御部１４０は地図の応答者が現在位置する地域上に質問に対する応答をディスプレイするようにディスプレイ部１３０を制御することができる。
【００９１】
図９は、本発明の一実施形態に係る情報提供サーバ２００の構成を示すブロック図である。図９に示すように、情報提供サーバ２００は、通信部２１０と、保存部２２０及び制御部２３０を含む。
【００９２】
通信部２１０は、多様な通信方式に応じて多様な電子機器１００、３００−１、３００−２、３００−３と通信を行う構成である。特に、通信部２１０は、Ｗｉ−Ｆｉ通信方式、ブルートゥース通信方式、無線通信方式等のような多様な通信方式を用いて電子機器と通信を行うことができる。
【００９３】
保存部２２０は、情報提供サーバ２００を駆動するための多様なプログラム及びモジュールを保存する。なお、保存部２２０は、ユーザ情報に対するデータベースを保存し、ユーザのソーシャルネットワークサービス情報をリアルタイムで受信して保存することができる。
【００９４】
制御部２３０は、情報提供サーバ２００の機能全般を制御する。
【００９５】
特に、本発明の一実施形態として、電子機器１００からユーザが検索しようとする位置情報及び地域情報要求信号が伝送されると、制御部２３０は、ユーザが検索しようとする位置情報に基づいてユーザが検索しようとする地域に位置するユーザを検索することができる。そして、制御部２３０は、ユーザが検索しようとする地域に位置するユーザのソーシャルネットワークサービスを用いて地域情報を検索することができる。それについては、図３及び図４を参照して説明しているため、繰り返し説明は省略する。そして、制御部２３０は、検索された地域情報を電子機器１００に伝送するように通信部２１０を制御することができる。
【００９６】
更に別の実施形態として、電子機器１００が地域情報に対する質問を伝送すると、制御部２３０は質問からユーザが要求しようとする地域の位置情報及び地域情報を分析することができる。そして、制御部２３０は、予め登録されたユーザ情報を分析されたユーザが要求しようとする地域の位置情報及び地域情報と比較し、応答者を抽出することができる。そして、制御部２３０は、抽出された応答者に対応する他の電子機器３００に質問を伝送するように通信部２１０を制御することができる。
【００９７】
上述のような電子機器１００及び情報提供サーバ２００によって、ユーザは天気情報、交通情報のようなリアルタイム性が非常に重要な地域情報をリアルタイムで確認することができるようになる。
【００９８】
なお、以上のような多様な実施形態に係る情報提供方法を行うためのプログラムコードは、多様な類型の記録媒体に保存されてよい。具体的には、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【００９９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１００】
１００  電子機器
１１０  通信部
１２０  入力部
１３０  ディスプレイ部
１４０  制御部
２００  情報提供サーバ
２１０  通信部
２２０  保存部
２３０  制御部
３００  他の電子機器
【図１】
2014149823.tif 000003
【図２】
2014149823.tif 000004
【図３】
2014149823.tif 000005
【図４】
2014149823.tif 000006
【図５】
2014149823.tif 000007
【図６】
2014149823.tif 000008
【図７】
2014149823.tif 000009
【図８】
2014149823.tif 000010
【図９】
2014149823.tif 000011